(57)【要約】    送信点から受信点まで複数のキャリア周波数を介して送信されるマルチキャリア信号を提供するための装置が、一連の離散値から成り、２個以上の複数の下位信号を得るように入力信号を処理するプロセッサ（１０１）と、マルチキャリア信号を得るために、複数の下位信号の離散値を一連のキャリア周波数に割り当てるための割当て部（１０３）とを備え、割当て部が、第１の下位信号の一連の離散値を、第１のキャリア周波数で始まるＳ番目毎のキャリア周波数に割り当て、第２の下位信号の一連の離散値を第２のキャリア周波数で始まるＳ番目毎のキャリア周波数に割り当てるように動作し、第２のキャリア周波数は第１のキャリア周波数とは異なり、Ｓは下位信号の数に等しいか又はそれよりも大きい数を示す。異なる下位信号を異なるキャリア周波数に割り当てることにより、利用可能な帯域幅を効率的に利用できるようになる。
2007515812.tif 000002
【特許請求の範囲】
【請求項１】
送信点から受信点まで複数のキャリア周波数を介して送信されるマルチキャリア信号を提供するための装置であって、
一連の離散値から成る２以上の複数の下位信号であって、全体としてみると入力信号と同じ情報を有する下位信号を得るために前記入力信号を処理するプロセッサ（１０１）と、
マルチキャリア信号を得るために、前記複数の下位信号の離散値を一連のキャリア周波数に割り当てるための割当て部（１０３，４１１）と
を備え、
前記割当て部（１０３，４１１）が、第１の下位信号の一連の離散値を、第１のキャリア周波数から始めてＳ番目毎のキャリア周波数に割り当て、第２の下位信号の一連の離散値を第２のキャリア周波数から始めてＳ番目毎のキャリア周波数に割り当てるように動作し、前記第１のキャリア周波数は前記第２のキャリア周波数とは異なり、ここで前記Ｓは下位信号の数に等しいか又はそれよりも大きい値を示すものであることを特徴とする装置。
【請求項２】
前記プロセッサ（１０１）が、
前記入力信号を複数の分割された信号に分割するデバイダ（２０１）と、
前記複数の下位信号を得るために、前記分割された信号を別個にコード化する手段と
を備えることを特徴とする請求項１に記載の装置。
【請求項３】
前記コード化する手段が、分割された信号に対して、前記分割された信号の２個の信号値を結合して下位信号値を得るように動作することを特徴とする請求項２に記載の装置。
【請求項４】
前記コード化する手段が、分割された信号に対して差分コーダ（２０３，４０９）を備えることを特徴とする請求項２又は３に記載の装置。
【請求項５】
前記デバイダ（２０１）が、
前記入力信号を複数のデマルチプレクスされた信号にデマルチプレクスするためのデマルチプレクサ（４０５）と、
複数のデマルチプレクスされた信号の中のデマルチプレクスされた信号に対して、前記デマルチプレクスされた信号のインターリーブされた信号として下位信号を提供するためのインターリーバ（４０７）と
を備えることを特徴とする請求項２から４に記載の装置。
【請求項６】
前記プロセッサの入力部に接続された出力部を有するインターリーバ（４０３）をさらに備えることを特徴とする請求項１から５のいずれかに記載の装置。
【請求項７】
前記一連のキャリア周波数が一連のナンバリング指数の集合に含まれるナンバリング指数に関連付けられ、
前記第１のキャリア周波数が、一連のナンバリング指数の集合の中の最も小さいナンバリング指数に等しいか又はそれよりも大きい第１のナンバリング指数に関連付けられ、
前記第２のキャリア周波数が、一連のナンバリング指数の集合中の第２のナンバリング指数に関連付けられ、
前記第２のナンバリング指数は前記第１のナンバリング指数とは異なり、
前記割当て部（１０３，４１１）が、それぞれの離散値をそれぞれのナンバリング指数に割り当てることによって、第１の下位信号の離散値をＳ番目毎のキャリア周波数に割り当て、第２の下位信号の離散値をＳ番目毎のキャリア周波数に割り当てるように動作することを特徴とする請求項１から７のいずれかに記載の装置。
【請求項８】
前記割当て部（１０３，４１１）が、Ｓ個の行と、キャリア周波数の数をＳで割ることによって決定される数の列とを有するブロック形インターリーバであるか、又は
Ｓ個の列と、キャリア周波数の数をＳで割ることによって決定される数の行とを有するブロック形インターリーバであることを特徴とする請求項１から７のいずれかに記載の装置。
【請求項９】
マルチキャリア信号及び／又は前記マルチキャリア信号から取り出すことができる信号を、時間／周波数変換を前記マルチキャリア信号に又は前記マルチキャリア信号から取り出すことができる信号に適用することによって変換するための変換器（４１３，８０８）をさらに備えることを特徴とする請求項１から８のいずれかに記載の装置。
【請求項１０】
変換された信号のコピーを提供するための手段（４１５）と、
前記変換された信号のコピーに対して遅延を取り入れるための手段（４２２）と
をさらに備え、
前記変換された信号のコピーが、複数の離散値の中の最も小さいナンバリング指数を有するある離散値で始まる複数の離散値を有し、
前記遅延を取り入れるための手段（４２２）が、前記ある値が最も小さいナンバリング指数よりも大きいナンバリング指数になるように前記離散値を再順序付けすることによって、前記変換された信号のコピーをシフトするように動作することを特徴とする請求項９に記載の装置。
【請求項１１】
マルチキャリア信号から取り出すことができる信号を提供するための手段をさらに備え、前記提供するための手段が、
前記マルチキャリア信号のコピーを提供するための手段と、
前記マルチキャリア信号から取り出すことができる信号を提供するために、前記マルチキャリア信号のコピーを位相シフトするための手段と
を備えることを特徴とする請求項９又は１０に記載の装置。
【請求項１２】
受信されたマルチキャリア信号から出力信号を提供するための受信機装置であって、
ここで、前記受信されたマルチキャリア信号がマルチキャリア方式のキャリア周波数に対するスペクトル係数を含み、一連の離散値から成る複数の下位信号を得るように入力信号を処理することによって、前記スペクトル係数が前記入力信号から形成され、マルチキャリア信号を得るように複数の下位信号の離散値を一連のキャリア周波数に割り当てることによって、２個以上の前記複数の下位信号が全体としてみて前記入力信号と同じ情報を有するものであって、第１の下位信号の一連の離散値が第１のキャリア周波数から始めてＳ番目毎のキャリア周波数に割り当てられ、第２の下位信号の一連の離散値が第２のキャリア周波数から始めてＳ番目毎のキャリア周波数に割り当てられ、前記第２のキャリア周波数は前記第１のキャリア周波数とは異なり、ここで前記Ｓの値は下位信号の数以上であり、
前記スペクトル係数を再割当てするための、前記複数の下位信号の受信された信号を提供するように動作する再割当て部（１４０１，１５０７）と、
前記複数の下位信号の受信された信号を再処理して、出力信号として前記入力信号の受信された信号を得るための再処理装置（１４０３）と
を備えることを特徴とする受信機装置。
【請求項１３】
前記スペクトル係数がナンバリング指数のある集合中のナンバリング指数に関連付けられ、
前記再割当て部（１４０１，１５０７）が、前記複数の下位信号の中の第１の下位信号の受信された信号を提供するために、第１のナンバリング指数を有するスペクトル係数から始めてＳ番目毎のスペクトル係数を選択するように動作し、
前記再割当て部（１４０１，１５０７）が、前記複数の下位信号の中の第２の下位信号の受信された信号を提供するために、第２のナンバリング指数を有するスペクトル係数から始めてＳ番目毎のスペクトル係数を選択するように動作し、
前記第１のナンバリング指数が前記第２のナンバリング指数とは異なることを特徴とする請求項１２に記載の受信機装置。
【請求項１４】
前記再割当て部（１４０１，１５０７）が、Ｓ個の列と、マルチキャリア方式のキャリア周波数の数をＳで割って決定される数の行とを有するブロック形インターリーバであるか、又は
前記再割当て部（１４０１，１５０７）が、Ｓ個の行と、キャリア周波数の数をＳ出羽って決定される数の列とを有するブロック形インターリーバであることを特徴とする請求項１２又は１３に記載の受信機装置。
【請求項１５】
前記複数の下位信号が、前記入力信号を２個以上の複数の下位信号に分割し、複数の下位信号を得るために前記分割された信号のそれぞれをコード化することによって形成され、
前記再処理装置（１４０３）が、
複数のデコードされ受信された下位信号を提供するために、受信された下位信号を別個にデコードするための手段と、
前記入力信号の受信された信号を出力信号として得るために、前記複数のデコードされた下位信号を結合するための手段と
を備えることを特徴とする請求項１２から１４のいずれかに記載の受信機装置。
【請求項１６】
下位信号の値を得るために、分割された信号が２個の分割された信号値を結合することによってコード化され、
デコードされ受信された下位信号の値を提供するために、前記デコードするための手段が受信された下位信号に対して、２個の受信された下位信号の値を結合するように動作することを特徴とする請求項１５に記載の受信機装置。
【請求項１７】
前記分割された信号が差分コード化され、
前記デコードするための手段が、受信された下位信号に対して、差分デコーダ（１５０９）を備えることを特徴とする請求項１５又は１６に記載の受信機装置。
【請求項１８】
前記再処理するための手段が、デコードされ受信された下位信号に対して、デインターリーブされデコード及び受信された下位信号をデコード及び受信された下位信号として提供するためのデインターリーバを備えることを特徴とする請求項１５から１７に記載の受信機装置。
【請求項１９】
前記結合するための手段が、複数のデコード及び受信された下位信号を出力信号として多重化され受信された信号に多重化するためのマルチプレクサ（１５０３）を備えることを特徴とする請求項１５から１８のいずれかに記載の受信機装置。
【請求項２０】
デマルチプレクスされた信号を出力信号として得るために、多重化及び受信された信号をデインターリーブするためのデインターリーバ（１５１５）をさらに備えることを特徴とする請求項１９に記載の受信機装置。
【請求項２１】
前記受信されたマルチキャリア信号が、
前記受信された信号を受信されたマルチキャリア信号に変換するための変換器によって受信された信号から形成され、
前記変換器（１５０５）が時間／周波数変換を実行するように動作する
ことを特徴とする請求項１２から２０のいずれかに記載の受信機装置。
【請求項２２】
前記受信された信号が、第１の受信アンテナによって受信された信号に対応する第１の信号と、第２の受信アンテナによって受信された信号に対応する第２の信号のシフトされた信号とが重ね合わされた信号であり、前記シフトされた信号がシフトされた信号を提供するための手段によって提供されることを特徴とする請求項２１に記載の受信機装置。
【請求項２３】
マルチキャリア信号と同じ情報の内容を有する別のマルチキャリア信号を受信するように構成され、
前記再割当て部（１４０１，１５０７）が別の受信されたマルチキャリア信号を再割り当てして、複数の下位信号の別の受信された信号を得るようにさらに動作し、
前記再処理装置（１４０３）が、出力信号を提供する場合、複数の下位信号の別の受信された信号をさらに使用するように適合されることを特徴とする請求項１２に記載の受信機装置。
【請求項２４】
前記再処理装置が信号出力の一連の値に対してソフトな値を出力するように構成されることを特徴とする請求項１２から２３のいずれかに記載の受信機装置。
【請求項２５】
送信点から受信点まで複数のキャリア周波数を介して送信されるマルチキャリア信号を提供する方法であって、
一連の離散値から成る２以上の複数の下位信号であって、全体としてみると入力信号と同じ情報を有する下位信号を得るために前記入力信号を処理するステップと、
マルチキャリア信号を得るために、前記複数の下位信号の離散値を一連のキャリア周波数に割り当てるステップと
を含み、
第１の下位信号の一連の離散値が、第１のキャリア周波数から始めてＳ番目毎のキャリア周波数に割り当てられ、第２の下位信号の一連の離散値が第２のキャリア周波数から始めてＳ番目毎のキャリア周波数に割り当てられ、前記第２のキャリア周波数は前記第１のキャリア周波数とは異なり、ここで、前記Ｓは下位信号の数に等しいか又はそれよりも大きい数を示すものであることを特徴とする方法。
【請求項２６】
受信されたマルチキャリア信号から出力信号を提供するための方法であって、
ここで、前記受信されたマルチキャリア信号はマルチキャリア方式のいくつかのキャリア周波数に対するスペクトル係数を含み、一連の離散値から成る複数の下位信号を得るために入力信号を処理することによって、前記スペクトル係数が前記入力信号から形成され、複数の下位信号の離散値を一連のキャリア周波数に割り当てることによってマルチキャリア信号を得るものであって、ここで、２以上の前記複数の下位信号が全体としてみると前記入力信号と同じ情報を有し、第１の下位信号の一連の離散値が第１のキャリア周波数から始めてＳ番目毎のキャリア周波数に割り当てられ、第２の下位信号の一連の離散値が第２のキャリア周波数から始めてＳ番目毎のキャリア周波数に割り当てられ、前記第２のキャリア周波数は前記第１のキャリア周波数とは異なるものであって、
前記複数の下位信号の受信された信号を提供するために、前記スペクトル係数を再割当てするステップと、
前記複数の下位信号の受信された信号を再処理して、出力信号として前記入力信号の受信された信号を得るためのステップと
を含むことを特徴とする方法。
【請求項２７】
プログラムがコンピュータ上で実行されるときに、請求項２５に基づいた方法を実行するための、又は請求項２６による方法を実行するためのプログラムコードを有するコンピュータプログラム。
【発明の詳細な説明】
【技術分野】
【０００１】
本発明は電気通信の分野に関し、特に、ダイバーシチ技術（diversity technique）を用いるマルチキャリア送信方式の分野に関する。
【背景技術】
【０００２】
無線通信においては、フェージングの有害な影響を緩和するために送信ダイバーシチ技術が使用される。１つの送信ダイバーシチ技術は、同じ信号が複数のアンテナから異なった遅延で送信されるという遅延ダイバーシチである。これは結果として、各送信アンテナから各受信アンテナまでの本来のサブチャネルと比較する場合、周波数選択性が向上した、従って周波数ダイバーシチが向上した入力チャネルに相当する。直交周波数分割多重化（ＯＦＤＭ）においては、送信機に取り入れられた周波数ダイバーシチを、受信機の中に組み込まれた前進型エラー訂正用デコーダ（forward error correcting decoder）が利用することができる。
【０００３】
しかしながら、マルチキャリア送信システムの中に別の遅延を取り入れると、これは時間ダイバーシチを実現するために必要とされることが多いが、より長い保護間隔（guard interval）が必要とされ、結果として帯域幅の効率が減少される。この保護間隔が十分に長くない場合は、キャリア間の干渉が発生する可能性がある。しかしながら、保護間隔の長さが増加すると、保護間隔を情報の送信に利用することができないため、結果として帯域幅の効率が減少される。
【０００４】
保護間隔を超えずに周波数の選択性を増加させることは、下記の文献の中で説明されるように、周期的遅延ダイバーシチ（cyclic delay diversity）を取り入れることによって実現することができる、すなわち、A. Dammann 及び S. Kaiserによる「Standard conformable antenna diversity techniques for OFDM systems and its application to the DVB-T system」、IEEE Globecom、ページ3100〜3105、２００１年１１月、A. Dammann 及び S. Kaiserによる「Low complex standard conformable antenna diversity techniques for OFDM systems and its application to the DVB-T system」、4th International ITG Conference on Source and Channel Coding、ページ 253〜259、２００２年１月、並びにA. Dammann、R. Raulefs、及び S. Kaiserによる「Beamforming in combination with space-time diversity for broadband OFDM systems」、 IEEE Conference on Communications (ICC)、ページ 165〜171、２００２年４月、である。前記文献の教示に基づいて、保護間隔が超えられないような周期的な方法で遅延が導入される。
【０００５】
周期的遅延ダイバーシチが使用される場合、周期的に遅延されたデータのバージョンが、種々の送信アンテナから同時に送信され、複数の受信アンテナによって受信される。結果として生じた多重入力多重出力形（ＭＩＭＯ）チャネルが単一入力多重出力（ＳＩＭＯ）チャネルに効果的に変換されて、周波数の選択性が増加される。このため、空間ダイバーシチが周波数ダイバーシチに変換される。全体的なシステムの性能を向上させるために、送信機の中のデータのコード化がエラー訂正用デコーダによって行われる場合、周波数の選択性が増加することを利用することができる。
【０００６】
周波数の選択性が増加することにより、チャネル評価は、幾つかの周波数帯域が他よりも一層減衰されるためより難しい仕事になる。本来のシステムと比較する場合、パイロット記号の数を増加させる必要があり、これは結果として帯域幅の効率を低下させてしまう。このため、２個の順次変調された記号を送信する間にチャネルが一定である限り、一連のチャネル評価を必要としない差分変調が魅力的になる。
【０００７】
２００３年にIEEE Proceedings on Communicationsに提出された、B. Allen、 F. Said、 G. Bauch、 G. Auer、 H. Aghvamiによる「Differential cyclic delay diversity for multi-carrier based transmission schemes」という題名の文献の中で提案されたように、差分変調を各サブキャリアに対して別個に使用することができる。しかしながら、前述した文献の中で開示された方法の不都合な点は、参照記号を各サブキャリアに先立って送信する必要があり、これは結果として完全なＯＦＤＭ記号のオーバーヘッドを生じることである。このことは、特に、フレーム当たり複数のサブキャリアと比較的少数のＯＦＤＭ記号とが要求される４Ｇ（４Ｇは第４世代を意味する）移動無線システムにおいては望ましくない。
【０００８】
前述したように、保護間隔を超えずに周波数選択性を増加させることは、周期的遅延ダイバーシチを用いることによっても実現することができる。この方式は、下記の文献の中で分析されている、すなわち、A. Dammann、 P. Lusina、及び M. Bossertによる「On the equivalence of space-time block coding with multipath propagation and/or cyclic delay diversity in OFDM」、IEEE European Wireless、２００２年、M. Bossert、A. Huebner、 F. Schuehlien、 H. Haas、及び E. Costaによる「On cyclic delay diversity in OFDM based transmission schemes」、OFDM Workshop、２００２年、及び D. Gore、S. Sandhu、及び A. Paulrajによる「Delay diversity codes for frequency selective channels」、International Conference on Communications (ICC)、ページ 19498〜1953、 IEEE、２００２年４月、である。
【０００９】
周期的遅延ダイバーシチ及び差分変調の組合せが、２００３年のIEEE Proceedings on Communicationsに提出された、B. Allen、F. Said、G. Bauch、G. Auer、H. Aghvamiによる「Differential cyclic delay diversity for multi-carrier based transmission schemes」という題名の文献の中で提案された。しかしながら、この文献では、各サブキャリアに対する差分変調が検討されている。このため、特定のサブキャリアが妨害されると、このキャリアを介して送信されるデータストリームはエラーなしとは検出されないため、ビットエラー率を増加させることになる。
【００１０】
前述した従来技術の考え方のさらなる不都合な点は、周波数の選択性が増加したことにより、一連のチャネル評価に対してより高いパイロット記号のオーバーヘッドが必要になることである。この問題に対処するために、差分変調が代案として使用できる。その理由は、包括的なチャネル評価又はチャネル均等化方式なしで差分変調された信号を検出できるからである。
【００１１】
さらに、小さい遅延及び小さい参照符号のオーバーヘッドを実現するために、周波数方向の差分変調が検討されている。非干渉性検出に対する要求事項は、チャネルが隣接するサブキャリアに対してほぼ一定であるということである。
【００１２】
しかしながら、周期的遅延ダイバーシチは、隣接するサブキャリアのチャネル係数間の相関に影響する可能性がある。より具体的には、周期的遅延ダイバーシチは、例えば隣接するサブキャリアに関連したチャネル係数間の相関を小さくすることがある。このため、周波数方向における直接的な差分変調は不合格である。
【００１３】
さらに具体的に言うと、送信される差分変調された信号の一連の離散的な値が、一連のキャリア周波数に割り当てられる場合、受信機においては、無相関のチャネル係数に関連した一連のキャリア周波数を介して送信された差分的にコード化された信号は、受信機における差分デコード方式によって再生することはできないため、結果としてビットエラー率が増加する。
【００１４】
上記の難点を克服するために、送信機の中に追加のコーディングを加えることによって、別の冗長性を取り入れる。しかしながら、この方式は帯域幅の効率を低下させることになる。
【００１５】
さらに、差分空間−時間変調を、下記の文献の中で説明されているように使用することができる、すなわち、B. Hochwald 及び W. Sweldenによる「Differential unitary space-time modulation」、IEEE Transactions on Communications、48(12):2041-2052、２０００年１２月、B. L. Hughesによる「Differential space-time modulation」IEEE Transactions on Information Theory、46(7):2567-2578、２０００年１１月、及びV. Tarokh 及び H. Jafarkhaniによる「A differential detection scheme for transmit diversity」、IEEE Journal on Selected Areas in Communications、18(7):1169-1174、２０００年７月、である。しかしながら、この方式は、システムの複雑性を増加させることになる。
【発明の開示】
【課題を解決するための手段】
【００１６】
本発明の目的は、マルチキャリア送信システムの中で、ダイバーシチ方式を用いて利用可能な帯域幅を効率的に利用するための考え方を提供することである。
【００１７】
この目的は、請求項１に基づいてマルチキャリア信号を提供する装置によって、請求項１２に基づいて受信されたマルチキャリア信号から出力信号を提供する装置によって、請求項２６に基づいてマルチキャリア信号を提供する方法によって、請求項２７に基づいて受信されたマルチキャリア信号から出力信号を提供する方法によって、又は請求項２８によるコンピュータプログラムによって実現される。
【００１８】
本発明は、マルチキャリア送信のシナリオの中で、送信されるそれぞれの信号が、受信機における効率的なチャネル周波数応答を特徴付ける相関されたチャネル係数に対応するそれぞれのキャリア周波数の集合に割り当てられるときには、利用可能な帯域幅を効率的に利用することができ、かつビットエラー率を減少させることができという発見に基づいている。
【００１９】
特に、送信される信号を、上記の送信される信号を示す複数の下位信号（sub-signal）に分割することができ、それぞれの下位信号は複数の離散値を含むということが発見されている。送信される信号をコード化する代わりに、様々な下位信号が別個にコード化され、結果として生じたコード化された下位信号が相関されたチャネル係数に対応するキャリア周波数に割り当てられる。
【００２０】
より具体的に言うと、それぞれのコード化された下位信号の複数の離散値が、利用可能なキャリア周波数の集合のキャリア周波数のサブセットに割り当てられることにより、ビットエラー率が低下される。それは、相関されたチャネル係数に対応するキャリア周波数のそれぞれのサブセットを経由して送信された下位信号が処理される、例えばコード化されるためである。例えば、第１の下位信号の離散値が区別を付けてコード化される場合、すなわち、情報の一部がコード化される下位信号の少なくとも２個の離散値によって決定される場合、送信される情報を特徴付ける離散値がキャリア周波数のサブセットに割り当てられる。受信機においては、無相関のチャネル係数による情報の損失は発生しないため、情報を効率的に再生することができる。
【００２１】
好ましいことに、ダイバーシチを実現するために、複数の送信アンテナを使用して複数の下位信号を複数の送信点から送信する場合、本発明概念を適用することができる。受信点において、信号を傍受するために、１つ又は複数の受信アンテナを使用することができる。各アンテナに入射する信号には、送信点から複数の送信アンテナによって送信された下位信号の重ね合わせが含まれる。
【００２２】
重ね合わされた信号のそれぞれには、それぞれが異なるサブセットのキャリア周波数を介して送信される、種々のキャリア周波数に割り当てられた離散値を有する複数の下位信号が含まれるため、それぞれの下位信号は周波数領域内で相関されたチャネル係数を有するそれぞれの通信チャネルを経由して送信される。
【００２３】
デコーディングの前に、最大の信号能力（signal power）によって特徴付けられる受信された下位信号を選択するように受信されたそれぞれの下位信号を考慮するために、受信機では最大比率の結合を適用することができる。これにより、ビットエラーの可能性をさらに減少することができる。
【００２４】
別の方法では、受信機においてもダイバーシチを実現できるので、僅か１つの送信アンテナと複数の受信アンテナとを用いる送信システムの中で、創意工夫に富んだ方式を適用することができる。本発明による処理システムが使用されるダイバーシチ方式とは無関係に送信される信号に適用されるため、この発明概念はそのようなシステムの中で率直に使用することができる。
【００２５】
さらに、種々の下位信号が相関されたチャネル係数に対応するキャリア周波数を介して送信されるため、２個の一連の変調された記号の差分の情報のコーディングに基づいた差分コーディング又は変調方式（例えば、差分位相シフトキーイングＤＰＳＫ又は差分振幅位相シフトキーイングＤＡＰＳＫ）を適用できる。この場合、一連のチャネル評価方式は必要ではない。この方式はさらに、システムの複雑性を減少させると共に帯域幅の効率を増加させる。その理由は、システムの複雑性を減少させる参照記号（トレーニング記号又はパイロット記号とも呼ばれる）をチャネル評価の目的のために順次送信する必要がないためである。
【００２６】
本発明のさらに別の利点は、利用可能な帯域幅を、例えばＯＦＤＭ送信方式が使用される場合、保護間隔を超えることなく効率的に利用できることである。
【００２７】
単純で標準的な差分変調又はコーディング方式を使用できることは、対応する下位信号が相関されたサブチャネルに関連付けられたキャリア周波数によって送信されるため、本発明のさらなる利点である。このため、差分コーディング又は変調方式は、例えば差分空間−時間変調方式と比較する場合、単純化することができる。
【００２８】
本発明によれば、送信されるデータストリームは、区別を付けてまた個別にコード化又は変調される複数のストリームに分割される。各ストリームのそれぞれのコード化された記号は、相関の高いサブキャリアを経由して送信され、例えば隣接するサブキャリアなどの相関が低いサブキャリアによって送信されることはない。
【００２９】
周波数方向の標準的な差分コーディング又は変調をここで使用できるため、本発明の概念により、ただ１つの参照記号を例えばＯＦＤＭフレームごとに送信することが必要とされるだけであるため、チャネル評価に必要な参照記号をさらに減少することができる。このため、参照記号によるオーバーヘッド及びシステムの複雑性が最小にされる。さらに、標準的な方法と比較する場合、チャネル評価の目的のためにより少ない参照記号を送信することしか必要とされないため、帯域幅はより効率的に利用される。
【００３０】
さらに、本発明の方法により、受信機における検出の遅れが縮小される。周波数方向のコーディング又は変調が好ましいため、種々の受信された値が同じ時刻に示され、同時に検出されることができる。従って、時間方向の差分変調と比較する場合、時間の遅れは縮小される。この場合、検出するために必要な一連の離散値は、様々な時刻に受信される。
【００３１】
本発明のさらに別の実施形態は、下記の図面に関連して詳細に説明される。
【発明を実施するための最良の形態】
【００３２】
図１は、送信点から受信点まで複数のキャリア周波数を介して送信されるマルチキャリア信号を提供するための本発明による装置のブロック図を示す。
【００３３】
図１の装置は、割当て部１０３に接続された複数の出力部を有するプロセッサ１０１を備え、この割当て部１０３も複数の出力部を有している。
【００３４】
プロセッサ１０１は、図１に示された入力信号を処理して、プロセッサ１０１の出力部に送られる複数の下位信号を得るように作られている。これら複数の下位信号のそれぞれは、一連の離散値から成る。例えば、それぞれの下位信号は、最も小さい数の指数から始まり最も大きい数の指数で終わるナンバリング指数（numbering indices）を有する離散値の集合によって表される。このため、それぞれの下位信号の各値は、その出現の順序を定義するナンバリング指数によっても特徴付けられる。従って、それぞれの下位信号の一連の離散値は、一連のナンバリング指数に、例えば増加する又は減少する順序で割り当てることができる。
【００３５】
プロセッサ１０１は、複数の下位信号を提供するために入力信号を増加するように動作する。この場合、それぞれの下位信号に加えられる付加的な情報は存在しない。このため、この複数の下位信号は、全体としてみると、入力信号と同じ情報量を含む。図１に示されたように、下位信号の数は２よりも大きい。しかしながら、下位信号の数は、２に等しくても良い。
【００３６】
プロセッサ１０１が生成した下位信号は、プロセッサ１０１の複数の出力部を経由して割当て部１０３に提供される。図１に示されたように、下位信号（ストリーム）は割当て部１０３に並列で提供される。別の方法では、プロセッサ１０１は直列の下位信号を提供するように動作する。この場合、出力部の数は下位信号の数よりも小さくすることができる。
【００３７】
割当て部１０３は下位信号（サブストリーム）を受け取り、マルチキャリア信号を得るために下位信号の様々な離散値を一連のキャリア周波数に割り当てる。さらに具体的に言うと、一連のキャリア周波数は、第１のキャリア周波数が第１のナンバリング指数に対応付けられるように、一連のナンバリング指数の集合にあるナンバリング指数に関連付けられる。この場合、第１のナンバリング指数は、一連のナンバリング指数の集合の中の最も小さいナンバリング指数に等しいかそれよりも大きい。このため、第２のキャリア周波数は、第２のナンバリング指数に関連付けられる。今後、「一連の」(successive)という用語は、一連のナンバリング指数に関連付けられたキャリア周波数が現れる順序を指す。割当て部１０３は、例えば第１の下位信号の一連の離散値を、第１のキャリア周波数から始めてＳ番目毎のキャリア周波数に割り当て、また例えば第２の下位信号の一連の離散値を第２のキャリア周波数から始めてＳ番目毎のキャリア周波数に割り当てるように動作する。この場合、第２のキャリア周波数は第１のキャリア周波数とは異なっており、Ｓは下位信号の数に等しいか又はそれよりも大きい数を示す。換言すると、割当て部１０３は、それぞれの離散値をキャリア周波数のそれぞれのナンバリング指数に割り当てることによって、第１の下位信号の離散値をＳ番目毎のキャリア周波数に割り当て、また第２の下位信号の離散値をＳ番目毎のキャリア周波数に割り当てるように構成される。完全を期するために、例えばＯＦＤＭ送信方式が使用される場合、割当て部１０３が提供するマルチキャリア信号は指数領域信号として考えられることに注意されたい。
【００３８】
図２は、図１のプロセッサ１０１のブロック図を示す。
【００３９】
プロセッサ１０１は、入力部と複数の出力部とを有するデバイダ２０１を備えている。このデバイダ２０１の出力部は複数の（好ましくは等しい数の）コーダ２０３に、デバイダ２０１の各出力部がそれぞれのコーダ２０３に接続されるように接続される。それぞれのコーダ２０３は入力部と出力部とを有し、出力部の数はプロセッサ１０１の出力部の数を形成する。
【００４０】
デバイダ２０１は、図２に示された入力信号をそれぞれの出力部を介して複数の分割された信号に分離するようにまとめられる。換言すると、デバイダは入力信号の数を増やして、好ましいことに、それぞれが分割された信号を表す複数の入力信号のコピーを提供する。好ましいことに、デバイダ２０１は、信号をデマルチプレクスして複数のデマルチプレクスされた信号を作るためのデマルチプレクサをさらに備える。複数のデマルチプレクス信号は、複数の分割された信号として、デバイダ２０１の出力部に直接バイパスされる。別の方法では、デバイダ２０１が備えているデマルチプレクサによって提供された複数のデマルチプレクスされた信号の１つに対して、対応するデマルチプレクスされた信号のインターリーブされた信号として下位信号を提供するためのインターリーバを使用できる。この場合は、デマルチプレクスされた信号の複数のインターリーブされた信号が、図２に示された複数の分割された信号を表す。
【００４１】
前述された（オプションの）インターリーバは、例えば、インターリーブされた信号の一連の離散値が無相関である、すなわちインターリーブされた離散値の均一なエネルギー分布であるように、インターリーブされるそれぞれの信号のそれぞれの離散値が現れる順序を順序付けるためのマトリックス構造を有する従来のインターリーバとすることができる。このインターリーバを、擬似ランダム形のインターリーバとして実現することもできる。
【００４２】
コーダ２０３は、複数の下位信号を得るために分割された信号を別個にコード化するように構成される。コーダ２０３は、どのような種類の既知のコード化アルゴリズムも実行するように動作する。別の方式では、それぞれのコーダ２０３は、下位信号の値を得るために、複数の分割された信号の中の２個の信号値を結合するように動作する。例えば、各コーダ２０３は、それぞれ分割された信号の２個の続いて生じる信号値の差として情報をコード化するように動作する、分割された信号に利用される差分コーダである。
【００４３】
プロセッサ１０１が発生した複数の下位信号は、図３に示すように、割当て部１０３に送られる。
【００４４】
図３に示された割当て部１０３は、複数の入力部を有する。簡単にするために、図３は２個の入力部３０１及び３０３しか示していない。割当て部１０３は複数の出力部を有するが、ここでは出力部が８つの事例を検討する。
【００４５】
特に、入力部３０１を経由する第１の下位信号及び入力部３０３を経由する第２の下位信号が、それぞれ割当て部３０３に提供される。入力部３０１を経由して提供される第１の下位信号は、実施例の目的のために、４つの係数[x(0),..., x(3)]によって表される。ここで、「ｘ」はそれぞれの第１の下位信号の値を表し、丸括弧で囲まれた指数は下位信号値の集合の中の下位信号値のナンバリング指数を示す。
【００４６】
また、第２の下位信号には、実施例の目的のために、４つの下位信号値[y(0),..., y(3)]が含まれる。図３に示された実施形態によれば、情報を送信するために、８つのキャリア周波数c(0),..., c(7)が使用される。割当て部１０３は、第１の下位信号の一連の離散値を、c(0)で表されるキャリア周波数で始まる全ての第２のキャリア周波数に割り当てる。言い換えると、第１の下位信号の一連の離散値は、「偶数」のキャリア周波数に割り当てられる。このため、第２の下位信号の離散値は、c(1)で表されたキャリア周波数で始まる全ての第２のキャリア周波数に割り当てられる。前述された実施例に続いて、第２の下位信号の離散値が「奇数」のキャリア周波数に割り当てられる。
【００４７】
割当て部１０３は、複数の下位信号によって決定される深さを有するインターリーバとすることができる。例えば、割当て部１０３は、Ｓ個の行と、キャリア周波数の数をＳで割ることによって決定される数の列とを有するブロック形インターリーバである。ここで、Ｓは下位信号の数を表す。基本的な設計にもよるが、割当て部１０３は、前述されたブロック形インターリーバの構造に置き換えられる構造を持つことができる。言い換えると、割当て部は、Ｓ個の列と、キャリア周波数の数をＳで割って決定される数の行とを有することができる。このため、割当て部１０３は、大きさＳｘＮS／Ｓのマトリックス構造を有する。ここで、データはマトリックスの行方向に書き込まれ、マトリックスの列方向から読み取られる。別の方法では、割当て部１０３は、前述のように逆マトリックス構造を有する。このため、サブキャリアへの割当ては、ブロックインターリーブ（block interleaving）によって実現される。
【００４８】
図４は、本発明のさらに別の実施形態による送信機のブロック図である。
【００４９】
図４の送信機は、ＦＥＣエンコーダ４０１を備えている（ＦＥＣ＝前進型エラー信号訂正（forward error correction））。このＦＥＣエンコーダ４０１は、入力部及び出力部を有する。ＦＥＣエンコーダの出力部は、インターリーバ４０３に接続される。インターリーバ４０３は、デマルチプレクサ４０５（ＤＥＭＵＸ）に接続される出力部を有する。
【００５０】
デマルチプレクサ４０５は、複数の出力部を有する。ここで、複数の出力部のそれぞれは、対応するインターリーバ４０７に接続される。それぞれのインターリーバ４０７は、それぞれコーダ４０９に接続される出力部を有する。ここで、各コーダ４０９は、差分変調器又は差分コーダとすることができる。
【００５１】
完全を期するために、本願では、図４の装置は複数の独立した経路を備え、これらの独立した経路のそれぞれがデマルチプレクサ４０５の出力部に対応することに注意されたい。
【００５２】
それぞれのコーダ４０９は出力部を有し、複数のコーダ４０９の複数の出力部は、割当て部４１１に並列に接続される。割当て部４１１は、変換器（transformer）４１３に接続される複数の出力部を有する。この変換器４１３は、増加点（multiplying point）４１５に接続される出力部を有する。
【００５３】
増加点において、信号経路は複数の経路に分割され、これらの複数の経路は、ｎTで示された複数の送信アンテナに対応する。さらに、保護間隔を取り入れるための手段４１９が各信号経路に接続されている。
【００５４】
複数の経路の中の第１の経路４１７は、保護間隔を取り入れるための対応する手段４１９に直接接続されている。第２の信号経路４２１は、遅延を取り入れるために対応する手段４２２を経由して保護間隔を取り入れるための対応する手段４１９に接続される。このようにして、信号経路４２３は、遅延を取り入れるための対応する手段４２２を経由して、保護間隔を挿入するために対応する手段４１９に接続される。
【００５５】
要約すると、図４に示された装置は、遅延を取り入れるための複数の同一の手段４２２を有し、これらの遅延を取り入れるための複数の手段４２２は複数の送信アンテナに等しい。図４に示されたように、各経路は保護間隔を取り入れるために対応する手段４１９に接続されるため、図４の装置は送信アンテナの数に等しい保護間隔を取り入れるための複数の手段４１９を有する。保護間隔を取り入れるための手段４１９のそれぞれは、複数の送信アンテナの中のそれぞれの送信アンテナ４２５に供給される出力を有する。
【００５６】
ここで、保護間隔を取り入れるためのそれぞれの手段４１９の出力は、以下の説明を簡単にするためにまた本発明の装置のまさに原理を例示するために、それぞれの送信アンテナ４２５に直接供給されることに注意されたい。実際には、保護間隔を取り入れるための手段４１９の出力は、フィルタ処理や増幅などのディジタル及びアナログのどちらの信号処理にも関連する複数のさらなる手段を介して、それぞれの送信アンテナ４２５に接続される。
【００５７】
以下に、図４の装置の機能性が説明される。
【００５８】
エンコーダ４０１の入力部のデータが、最初にコード化される。このエンコーダ４０１は、リード・ソロモン・コーディング（read Solomon coding）又は従来のコード化（コーディング）を実行する前進型エラー信号訂正用エンコーダとすることができる。コード化の後で、エンコーダ４０１の出力部のコード化されたデータは、（オプションで）インターリーバ４０３によってインターリーブされる。このインターリーバ４０３は、当業者に周知のマトリックス構造又は擬似ランダム構造を有する従来のインターリーバとすることができる。別の方法では、エンコーダ４０１の出力は、デマルチプレクサ４０５に直接接続される。
【００５９】
デマルチプレクサ４０５は、入力信号をデマルチプレクスして、この入力信号がデマルチプレクサ４０５の複数の出力部を経由して供給されるＳ個のストリームに分割されるように構成される。選択自由であるが、各ストリームは対応するインターリーバ４０７によってインターリーブされる。
【００６０】
デマルチプレクサがデコードされたデータストリーム（入力信号）をＳ個のストリームに分割するため、デマルチプレクサ４０５は直列−並列（Ｓ／Ｐ）変換器のように形成される。この場合、Ｓはデマルチプレクサ４０５が供給する下位信号の数を指す。別の方法では、他のマッピングも可能である。例えば、デマルチプレクサ４０５は、入力信号の一連の離散値を同じストリームに割り当てるように動作する。
【００６１】
インターリーバ４０７が提供する（インターリーブされた）ストリームは、エンコーダ４０９によってコード化される。このエンコーダ４０９は、インターリーバ４０７のそれぞれの出力部によって、又はインターリーバ４０７がバイパスされる場合は、デマルチプレクサ４０５のそれぞれの出力部によって供給されるそれぞれのサブストリームを差分コード化するように構成される。
【００６２】
前述のように、エンコーダ４０９は、差分コード化又は差分変調、例えば差分位相シフトキーイング又は差分増幅位相シフトキーイングを実行できる。エンコーダ４０９の出力部は、Ｓ個の下位信号を割当て部４１１に供給する。割当て部４１１は複数の出力部を有し、各出力部は図４で示されたマルチキャリア送信システムの中で信号を送信するために使用される（離散的な）キャリア周波数に関連付けられる。割当て部４１１はＮS個の出力部を有し、ＮSはキャリア周波数の数を表す。割当て部４１１は、送信されるマルチキャリア信号を複数の出力部を経由して変換器４１３に供給する。この変換器４１３は、周波数領域／時間領域の変換を実行するように動作する。例えば、変換器４１３は、２〜３の変換の例を挙げると、逆フーリエ変換、逆離散型フーリエ変換、又は逆高速フーリエ変換を実行するように動作する。随意的に、変換器４１３は並列−直列変換器（Ｐ／Ｓ）を備えるため、変換された信号は変換器４１３の出力部を経由して増加点４１５に供給される。
【００６３】
増加点４１５において、変換された信号に含まれた情報を複数の送信アンテナを経由して送信するための変換された信号の複数のコピーが提供される。
【００６４】
図４の実施形態では、複数の信号を別個のアンテナを経由して送信することによってダイバーシチを取り入れるために、周期的遅延ダイバーシチが適用される。変換された信号の各コピーは、複数の離散値の最も小さいナンバリング指数を有するある離散値で始まる複数の離散値から構成される。遅延を取り入れるための手段４２２は、ある値が最も小さいナンバリング指数よりも大きいナンバリング指数になるように離散値を再順序付けすることによって、変換された信号のコピーを移動するように動作する。言い換えると、遅延される変換された信号のコピーは、複数の離散値によって周期的に移動される。その結果、変換された信号のコピーは互いに周期的に移動される、すなわち変換された信号の各後に来るコピーは前のコピーに対して（周期的に）移動（遅延）される。
【００６５】
その後、送信される信号は、保護間隔を挿入するためにそれぞれの手段４１９に与えられる。ＯＦＤＭ送信システムが検討される場合、当業者は周知のように、手段４１９は送信されるそれぞれの信号の複数の最後の係数をその最初に追加するように動作する。保護間隔を形成する複数の係数は、結果として生ずる保護間隔の持続時間が、送信アンテナ４２５の１つから受信点までの送信経路によって決定される複数のチャネルの最大持続時間よりも短くならないように選択される。
【００６６】
本発明によれば、手段４２２が取り入れた周期的遅延を、サブキャリアのチャネル係数が固定した距離と高い相関を有するように選択することができる。本発明によれば、図４に示すように、データは別個に変調されるＳ個のストリームに分割される。本発明によれば、変調されたストリームは、高い相関関係のサブキャリア（周波数キャリア）を介して送信される。例えば、２個の送信アンテナに対して２個の経路が生成される、すなわち変換された信号は２個の同一の信号に、言い換えると変換された信号の第１及び第２のコピーに分割される。この場合、変換された信号の第２のコピーを第１のコピーに対して移動するために、遅延を取り入れるために１つの手段４２２だけが利用される。
ＮS／２に等しい周期的遅延が選択されることが好ましい。ここで、ＮSはサブキャリア  
【００６７】
の数である。この場合、２個のストリームだけが生成される。例えば、一方のストリームは偶数のサブキャリア上で送信され、他方のストリームは奇数のサブキャリアで送信される。この場合、受信機において差分変調又はデコーディング方式を正しく適用するために、第２のストリームに必要な１つの別の参照記号を送信する必要がある。
【００６８】
以下に、本発明の概念に関する周期的方式を詳細に説明する。ここでは、ＮT個の送信アンテナ及びＮR個の受信アンテナを有する多重入力多重出力形（multiple-input-multiple-output）（ＭＩＭＯ）チャネルが検討される。
【００６９】
送信アンテナｎから受信アンテナｍへの時間ｔにおけるインパルス応答は、下記のように１ｘＮSのベクトルによって与えられる。
【数１】
2007515812.tif 000003
ここで、Ｄはチャネルのメモリを指す。
【００７０】
周期的遅延ダイバーシチの原理を説明するために、図５を参照する。
【００７１】
図５の装置は、インターリーバ４０３に接続されたエンコーダ４０１を示す。インターリーバ４０３の出力は、マルチキャリア信号を提供するために本発明の装置５０１に接続される。図４に示された実施形態と比較すると、本発明の装置５０１はデマルチプレクサ４０５、複数のインターリーバ４０７、複数のエンコーダ４０９及び割当て部４１１を含む。マルチキャリア信号が、変換器４１３に与えられる。変換された信号は、増加点４１５において複数の変換された信号のコピーに増加される。コピーの数は、送信アンテナ４２５の数に一致する。
【００７２】
図５に示すように、信号経路４１７によって与えられる信号は、変換器４１３によって与えられる変換された信号に等しい。手段４２２によって取り入れられた移動のために、信号経路４２１を経由して与えられる変換された信号のコピーは、１つの係数によって移動される。このため、信号経路４２３に対応する変換された信号のコピーは、信号経路４２１に対応する移動されたコピーに関連する１つの係数によって移動される。図５に示すように、遅延を取り入れる手段４２２は、それぞれ左移動を行うように動作する。別の方法では、手段４２２は右移動を行うように動作する。さらに、信号を移動させる複数の係数は変数であり、２よりも大きい。
【００７３】
一般に、データは例えば前進型エラー信号訂正用エンコーダＦＥＣ４０１によってコード化され、インターリーブされる。インターリーバ４０３の後段で（随意的に）、コードビットは例えばＱＡＭ（ＱＡＭ＝直交振幅変調）又はＰＳＫ（ＰＳＫ＝位相シフトキーイング）記号により変調される。次に、大きさＮSの逆高速フーリエ変換（ＩＦＦＴ）を実行するように動作する変換器４１３を用いて、ＯＦＤＭが実行される。ここで、ＮSはサブキャリアの数である。ＩＦＦＴ４１３の出力記号は、
【数２】
2007515812.tif 000004
ｔ＝０，．．．，ＮS−１によって表される。各アンテナは、種々の周期的遅延△ｎ，ｎ＝１，．．．，ｎTを取り入れる、すなわち、時間ｔにおけるアンテナからの送信記号は下記の式によって与えられる。
【数３】
2007515812.tif 000005
【００７４】
送信が行われる前に、各送信アンテナにおいて、周期的な保護間隔（ＧＩ）がそれぞれの手段４１９によって含まれる。
【００７５】
図５のシステムは、
【数４】
2007515812.tif 000006
の受信アンテナｍ，ｍ＝１，．．．，ｎR，にインパルス応答が
【数５】
2007515812.tif 000007
によって与えられる１つの送信アンテナを有する周波数選択されたチャネルを介してシーケンス
【数６】
2007515812.tif 000008
を送信することに等しい。
【００７６】
図５に示すように、送信アンテナ４２５は、信号を上記で検討された受信アンテナ５０３に送信する。
【００７７】
図６は、受信される信号が入射する受信アンテナ５０３を有する対応するＯＦＤＭ受信機の構造を示す。次に、受信された信号は、図６には図示されていない複数のさらに別の処理手段を介して、保護間隔を除くための手段６０１に与えられる。この保護間隔を除くための手段６０１は、高速フーリエ変換（ＦＦＴ）を実行することはできない時間−周波数変換器６０３に接続される。変換器６０３の出力部における変換された信号は、復調するために手段６０５に与えられる。復調するための手段６０５は、出力部が前進型エラー信号訂正用デコーダ６０９に接続されたインターリーバ６０７に接続される。特に、この復調するための手段６０５は、送信機の中で実行される動作とは逆の動作を行う。
【００７８】
基本的に、周期的遅延ダイバーシチは、多重入力多重出力形（ＭＩＭＯ）チャネルを、周波数選択性が増加された単一入力多重出力形（ＳＩＭＯ）チャネルに変換する、すなわち、空間ダイバーシチが周波数ダイバーシチに変換される。この効果は、図７ａ及び図７ｂに例示されている。
【００７９】
図７ａの上側の図面では、周波数に対するチャネル係数Ｈ（ｆ）の絶対値が示されている。ここでは、平坦なフェージングチャネルのシナリオが検討される。図７ａの下側の図面では、周波数に対する対応するコード化されないエラー率が表されている。図７ａでは、平坦なフェージングチャネルが検討されているため、コード化されないエラー率は、実施例に過ぎないが、周波数に対する縦線に従う。
【００８０】
図７ｂでは、周期的遅延ダイバーシチによって取り入れられた変換が例示されている。
【００８１】
図７ｂの上側の図面では、チャネル係数の絶対値が周波数に対して示されている。明らかに、チャネルは平坦なフェージングチャネルから、エネルギーが増加された係数とエネルギーが減少された係数とを有する周波数選択的なチャネルに変換されている。対応するコード化されないエラー率が、図７ｂの下側の図面に示されている。図に示すように、コード化されない（ビット）エラー率は、サブキャリアに対して一定ではない。しかしながら、コード化されない送信に対する平均のビットエラー率は、図７ａで検討された平坦なフェージングチャネルの場合と同様になるであろう。それにもかかわらず、外部の前進型エラー信号訂正デコーダは、利用可能な周波数ダイバーシチを取り出すことができる。
【００８２】
前述したように、標準的な方法は、周波数の選択性が増加することにより、より多くのパイロット記号がチャネルの評価に必要とされることになり、このことが帯域幅の効率を減少させるという事実に悩んでいる。前述した標準的な方式と比較して帯域幅の効率を増加するために、この発明の概念は非干渉的に検出することができる差分変調に基づいている。情報は２個の順次変調された記号の差の中でコード化されるため、非干渉性の復調器は、２個の一連の記号を送信している間は理想的にはチャネルが変化しないことを必要とする。
【００８３】
大抵の用途では、チャネルは、２個の一連のＯＦＤＭ記号を送信する間は、各サブキャリアに対してほぼ時間に独立していると仮定することができる。このため、各サブキャリア上の別個の差分変調を利用することができる。しかしながら、参照記号を各サブキャリアに先立って送信する必要がある、すなわち、第１のＯＦＤＭ記号は参照記号のみを含み、この参照記号は特に、フレーム当たり複数のサブキャリア及び比較的少数のＯＦＤＭ記号が期待される４Ｇの移動無線システムでは、かなりオーバーヘッドである。この問題を処理するために、本発明によれば、周波数方向の差分変調を利用することができる。例えば、差分変調された記号は、図８の矢印により示したように、隣接する又は隣接しないサブキャリア上で送信される。
【００８４】
図８には、本発明による装置のさらに別の実施形態が示される。
【００８５】
図８の装置は、上記の説明に基づいて動作する本発明によるプロセッサ８０１を備えている。図８に示すように、このプロセッサ８０１は、本発明に基づいて複数の下位信号を割当て部８０３に直列で提供するための出力部を有する。割当て部８０３は、マルチキャリア信号を変換器８０５に送るための複数の出力部を有する。この変換器８０５は、並列−直列変換器（Ｐ／Ｓ）８０７に接続された複数の出力部を有する。Ｐ／Ｓ変換器８０７は、直列信号を送信するための出力部を有する。
【００８６】
プロセッサ８０１は、差分変調された（又は、差分コード化された）下位信号を提供するように動作することができる。周波数方向の差分変調により、受信機内のチャネル評価を行うために、フレーム当たり１つの参照記号しか必要とされない。このため、割当て部８０３は、図８の矢印で示すように、チャネルの評価を行うために参照記号を対応するサブキャリアに割り当てるように動作する。言い換えると、評価されるチャネル係数に関連する対応するキャリア周波数に参照記号がマップされるように、割当て部８０３はマッピングを実行する。
【００８７】
しかしながら、周期的遅延ダイバーシチのために、隣接するサブキャリアのチャネル係数Ｈ(m)k（ｄ）の相関性は低い。受信アンテナｍのｋ番目のＯＦＤＭ記号におけるｄ番目のサブキャリアの結果として生じたチャネル係数は、下記の式によって与えられる。
【数７】
2007515812.tif 000009
ここで、
【数８】
2007515812.tif 000010
は、チャネルのインパルス応答のフーリエ変換である。
【００８８】
ｎT＝２の送信アンテナ及び周期的遅延△2＝ＮS／２に対して、下記の式に従う。
【数９】
2007515812.tif 000011
【００８９】
図９は、平坦なフェージングチャネルの場合の、２個の送信アンテナを備え周期的遅延△2＝ＮS／２の周期的遅延ダイバーシチに対して結果として生じたチャネルの周波数応答を例示する。図９から分かるように、結果として生じたチャネルの周波数応答の絶対値は、第１の値と第２の値との間を変動する。ここで、第２の値は第１の値よりも小さい。
【００９０】
相関マトリックスを下記の式と仮定すると、
【数１０】
2007515812.tif 000012
第１のサブキャリアに対する関連する相関関数Ｒ(m)1dは、図１０に示される。相関関数の値が０（相関が取れないチャネル係数の特性を示す、ここで「１」は相対値を意味する）と１（チャネル係数が完全な相関関係にあることを特徴付ける）との間を変化することが分かる。これにより、１つおきのサブキャリアのチャネル係数は相関関係にあるが、一方隣接するサブキャリアは無相関である。その結果、これらの結果を考慮しない周波数方向の標準的な差分変調は失敗するであろう。
【００９１】
図１０に示した相関関数の特徴は、前述した問題を回避するための本発明の概念を例示している。例えば、２個のアンテナの場合では、データを別個に差分変調される２個のストリームに分割することができる。ここで、一方のストリームは偶数のサブキャリアを通って送信され、他方のサブキャリアは奇数のサブキャリアを介して送信されるため、対応するストリームの値は常に相関関係のあるキャリアを介して、例えば周波数領域の中の相関関係のあるチャネル係数に関連したキャリア周波数を介して送信される。
【００９２】
この概念は、図９のチャネル係数を示す図１１に例示されている。第１の値に近付く絶対値を有するチャネル係数は、差分コード化されたストリーム１を送信する場合に適用されるキャリア周波数を決定することが、付加的に示されている。従って、第２の値に近付く絶対値を有するチャネル係数は、差分コード化されたストリームを送信する場合に適用されるキャリア周波数を決定する。前述したように、チャネルを評価するために、別の参照記号が第２のストリーム（ストリーム２）のために必要とされる。
【００９３】
以下に説明されるように、周波数選択チャネルに対して同様の結果を得ることができる。
【００９４】
図１２は、周波数選択チャネルの場合に、２個の送信アンテナ及び△2＝ＮS／２による周期的遅延を有する周期的遅延ダイバーシチに対して２個のストリームを用いる差分コード化方式を例示する。図１１で検討された平坦なフェージングチャネルとは対照的に、チャネル係数の絶対値は周波数の増加と共に変化する。しかしながら、前述した周期的遅延ダイバーシチに関しては、全ての第２のチャネル係数が相関される。このため、全ての第２のキャリアは差分コード化されたストリーム１の送信に適用され、また全ての第２のキャリアは差分コード化されたストリーム２の送信に適用される。
【００９５】
図１２に表された周波数応答の絶対値は、各送信アンテナから各受信アンテナまでの平均電力が等しい、Ｄ＋１＝３の独立したフェージングタップｈ(nm)t（ｄ）を有するチャネルによって決定される。本来のチャネル（すなわち、ダイバーシチ効果のないチャネル）の周波数選択性のために、１つおきのサブキャリアのチャネルタップＨ(m)k（ｄ）はもはや同一ではない。しかしながら、本来のチャネルが３つの隣接するサブキャリアにわたってほぼ一定である場合、平坦なフェージングチャネルの場合と同じ差分変調の方式を適用できる。
【００９６】
例えば、△2＝ＮS／４の周期的遅延が選択される場合、用語
【数１１】
2007515812.tif 000013
は４つの異なる値を取ることができる、すなわち平坦なチャネルでは、結果として生じた周波数領域のチャネルＨ(m)kの４つの異なるチャネルの状態を観察することができる。このため、４つの別個の差分変調されたストリームを利用することができる。一般に、ストリームの数は、異なるチャネルの状態Ｈ(m)k（ｄ）の数Ｓによって与えられる。このチャネルの状態Ｈ(m)k（ｄ）は、平坦なフェージングチャネルに対する上記の式、すなわち、下記の式から結果として生ずる。
【数１２】
2007515812.tif 000014
【００９７】
図１３は、図１２の周波数選択チャネルに対して２個の送信アンテナと周期的遅延△2＝ＮS／２とを有する周期的遅延ダイバーシチに対する相関関数Ｒ1dを示す。この相関関数が、相関されたチャネル係数を特徴付ける値を有することが分かる。これらの値は、相関が取れないチャネル係数を特徴付ける相関関数の値よりも大きい。
【００９８】
この時点までに、マルチキャリア信号を提供する本発明の装置は、送信機の中に取り入れられた周期的遅延ダイバーシチの状況の中で検討された。しかしながら、本発明の方式は適用されるダイバーシチ方式に関連する効果を考慮に入れるように、送信される信号を前処理することに基づいているため、本発明の概念は他のダイバーシチ方式が使用される場合にも適用することができる。例えば、位相シフトを周波数／時間変換の前にマルチキャリア信号に取り入れることによって、ダイバーシチを導入することもできる。このため、ＮT個のアンテナシステムについては、ＮT個の周波数領域／時間領域の変換を実行する必要がある。
【００９９】
本発明の概念を、位相ダイバーシチの場合にもさらに適用することができる。位相ダイバーシチを取り入れるために、本発明による装置は、その後の位相シフトに必要なマルチキャリア信号のコピーを生成するための手段をさらに備える。このため、位相シフトされた信号をマルチキャリア信号から位相シフトによって引き出すことができる。次に、周波数領域／時間領域の変換器は、マルチキャリア信号から取り出すことができる信号を、前述したような単純な方法で変換された信号に変換する。
【０１００】
前述したように、マルチキャリア信号から取り出すことができる信号を提供するために、本発明の装置は、マルチキャリア信号から取り出すことができる信号を提供するために、マルチキャリア信号のコピーを提供するための手段及びマルチキャリア信号のコピーを位相シフトするための手段を含む信号を提供するための手段を備える。
【０１０１】
受信機においては、好ましいことに複数の受信アンテナが信号を受信するために使用される。一般に、保護間隔を除いた後のＯＦＤＭ送信の場合では、対応する受信されたマルチキャリア信号を提供するために、時間領域／周波数領域の変換が各受信アンテナに対応する各信号に対して適用される。
【０１０２】
図１４は、１つ又は複数の受信アンテナによって受信されて結果として生じた信号のマルチキャリア信号から出力信号を提供するための本発明による装置のブロック図を示す。マルチキャリア形送信方式、例えばＯＤＦＭ方式の場合では、受信されたマルチキャリア信号には、マルチキャリア方式のキャリア周波数に対するスペクトル係数が含まれる。このスペクトル係数は、一連の離散値で構成される複数の下位信号を得るために入力信号を処理することから形成される。ここで、複数の下位信号は全体としてみると入力信号と同じ情報を有し、下位信号の数は２に等しいか又は２よりも大きい。入力信号は、複数の下位信号の離散値を次に来るキャリア周波数に割り当てて、マルチキャリア信号を得ることによってさらに形成される。ここで、第１の下位信号の一連の離散値は第１のキャリア周波数から始めてＳ番目毎のキャリア周波数に割り当てられ、第２の下位信号の一連の離散値は第２のキャリア周波数から始めてＳ番目毎のキャリア周波数に割り当てられ、第２のキャリア周波数は第１のキャリア周波数とは異なり、Ｓは下位信号の数に等しいか又はそれよりも大きい数を示す。
【０１０３】
受信されたマルチキャリア信号は、例えば前述した本発明の装置を含む送信機によって発生することができる。
【０１０４】
出力信号を提供する装置は、複数の入力部及び複数の出力部を有する再割当て部（re-assigner）１４０１を備えている。再割当て部１４０１の出力部は、出力信号を提供するための出力部を有する再処理装置（re-processor）１４０３に接続される。
【０１０５】
下記の中で、図１４に示した装置の機能性が説明される。
【０１０６】
再割当て部１４０１は、前述した割当て部の動作とは逆の動作を実行するように構成される。特に、スペクトル係数は、ナンバリング指数の集合の中のナンバリング指数に関連付けられる。再割当て部は、複数の下位信号から第１の下位信号の受信された信号を提供するために、第１のナンバリング指数を有するスペクトル係数から始めてＳ番目毎のスペクトル係数を選択するように動作する。別の方法では、割当て部は、複数の下位信号から第２の下位信号の受信された信号を提供するために、第２のナンバリング指数を有するスペクトル係数から始めてＳ番目毎のスペクトル係数を選択するように動作する。ここで、第１のナンバリング指数は、第２のナンバリング指数とは異なっている。Ｓは、下位信号の数を表す。
【０１０７】
再割当て部１４０１は、スペクトル係数を複数の下位信号の中のそれぞれの下位信号の受信された信号にマッピングするマッパー（mapper）とすることができる。例えば、再割当て部１４０１は、インターリーバ又はマトリックス構造を有するブロック形インターリーバとすることができる。例えば、再割当て部１４０１は、本発明の割当て部に関連して前述したように、Ｓ個の列と、マルチキャリア方式のキャリア周波数の数をＳによって割って決定される数の行とを有する、又は逆の場合も同様のブロック形インターリーバである。
【０１０８】
複数の下位信号の受信された信号は、再割当て部１４０１の出力部を経由して再処理装置１４０３に送られる。この再処理装置１４０３は、送信機の中で実行される本発明によるプロセッサに関連して説明された動作とは逆の動作を行うことができる。送信機において、入力信号を２に等しい又は２よりも大きな数の下位信号に分割することによって、また複数の下位信号を得るために、それぞれの分割された信号をデコーディングすることによって複数の下位信号が形成される場合、再処理装置１４０３は、複数のデコードされ受信された下位信号を提供するために、受信された下位信号を別個にデコードするための手段を備える。この場合、受信された下位信号は、再割当て部１４０１によって複数の下位信号の受信された信号として提供される。さらに、再処理装置１４０３は、入力信号の受信された信号を得るために、出力信号として複数のデコードされた下位信号を結合するための手段を備えることができる。結合するための手段は、複数のデコードされた下位信号を出力信号のストリームにデマルチプレクスするデマルチプレクサとすることが好ましい。
【０１０９】
送信機において、分割された信号が下位信号の値を得るために、２個の分割された信号値を結合することによってコード化される場合、本発明の再処理装置１４０３が備えるデコーディングするための手段は、受信された下位信号に対して、デコード及び受信された下位信号の値を提供するために、２個の受信された下位信号の値を結合するように動作する。特に、分割された信号が差分コード化される場合、デコーディングするための手段は受信された下位信号に対して、コード化（コーディング）に関連した動作とは逆の動作を行う差分デコーダをさらに備える。さらに、送信機においてインターリービングが使用される場合、再処理するための手段は、デコード及び受信された下位信号に対してインターリーブされデコード及び受信された下位信号をデコード及び受信された下位信号として提供するためのインターリーバを備える。複数のデコードされ受信された下位信号は、前に説明したように、結合するための手段が備えるマルチプレクサによる出力信号として、多重化され受信された信号にさらに多重化される。
【０１１０】
一般に、本発明の装置は、マルチキャリア信号と同じ情報の内容を有する別のマルチキャリア信号を受信するように構成することができる。この場合、本発明による再割当て部はさらに、別の受信されたマルチキャリア信号を再割り当てして、複数の下位信号の別の受信された信号を得るように動作することができる。この場合は、再処理装置は出力信号を提供する場合、複数の下位信号の別の受信された信号をさらに使用するように適合される。
【０１１１】
再処理装置は、前述したように、出力信号の一連の値に対してソフトな値（soft value）を出力するようにさらに構成することができる。
【０１１２】
図１５は、マルチストリーム（multi-stream）の差分変調を行う周期的遅延ダイバーシチに対する本発明による受信機の構造のブロック図である。
【０１１３】
図１５の装置は、それぞれの受信された信号経路を決定する複数の受信アンテナ１５０１を備えている。それぞれのアンテナ１５０１を経由して受信された信号は、ＯＦＤＭ変調方式に関連した保護間隔を取り除くためのそれぞれの手段１５０３に送られる。保護間隔を取り除くための手段１５０３の各々は、時間／周波数変換器１５０５に接続された出力部を有する。変換器１５０５は、単に実施例として示すと、高速フーリエ変換（ＦＦＴ）、離散高速フーリエ変換、離散フーリエ変換、又は任意の他の時間領域／周波数領域の変換を実行するように動作する。
【０１１４】
変換器１５０５のそれぞれは、検討される信号経路に関連したそれぞれの再割当て部１５０７に接続された複数の出力部を有する。本発明のそれぞれの再割当て部１５０７は、下位信号の数Ｓによって決定される複数の出力部を有する。全体で、ｎR個の再割当て部１５０７が使用される。ここで、ｎRは受信アンテナ１５０１の数を指す。再割当て部１５０７の後段には、Ｓ個のデコーダ１５０９が配列される。それぞれのプロセッサ１５０９は、下位信号のｎR個の受信された信号を受信するためにｎR個の入力部を有する。より具体的に述べると、デコーダ１５０９のそれぞれの複数の入力部のそれぞれは、同じ下位信号のｎR個の受信された信号を収集するために別個の再割当て部１５０７に接続される。それぞれのデコーダ１５０９は、インターリーバ１５１１に接続された出力部を有する。ここで、それぞれのインターリーバ１５１１は、マルチプレクサ１５１３に接続された出力部を有する。このマルチプレクサ１５１３（ＭＵＸ）は、インターリーバ１５１５に接続された出力部を有し、インターリーバ１５１５は前進型エラー信号訂正用デコーダ１５１７（ＦＥＣデコーダ）に接続された出力部を有する。
【０１１５】
下記に、図１５に示した装置の機能性が説明される。
【０１１６】
前述したように、本発明の受信機はｎR個のアンテナ１５０１を備えている。再割当て部１５０７は、各ストリームのｎR個の受信された信号をそれぞれのデコーダ１５０９に割り当てる。（オプションの）インターリーバ１５１１及び１５１５によって実行されるインターリービングの後で、前進型エラー信号訂正用デコーダ１５１７は周波数ダイバーシチを取り出し、情報ビットに対してソフト又はハードな決定（soft or hard decision）を与える。
【０１１７】
デコーダ１５０９は、差分コード化／変調された情報を取り出すために、差分デコーダ又は差分復調器とすることができる。
【０１１８】
図１５の構造は、信号を受信する場合に適切である。この送信機の構造では、例えば周期的遅延ダイバーシチ方式が適用された。しかしながら、ダイバーシチ動作の直線性のためにダイバーシチが受信機の中に取り入れられる場合、本発明の受信についての概念も適用できる。このシナリオは、図１６で検討される。
【０１１９】
図１６に示した受信機の構造は、単に実施例として示すと、第１の受信アンテナ１６０１及び第２の受信アンテナ１６０３を備えている。第１の受信アンテナ１６０１は第１の信号経路を定義し、第２の受信アンテナ１６０３は第２の信号経路を定義する。第２の信号経路は、出力部を有している、遅延を取り入れるための手段１６０５に接続されている。手段１６０５の出力部及び第１の受信アンテナ１６０１に関連した第１の信号経路の両方は、加算器１６０７に接続される。この加算器１６０７は、複数の出力部を有する時間／周波数変換器１６０９に接続された出力部を有する。時間／周波数変換器１６０９の複数の出力部は、本発明による受信機装置１６１１に接続される。受信機装置１６１１は、出力信号を提供するための出力部を有している。
【０１２０】
加算器１６０７は、出力部を介して受信された信号を与える。この受信された信号は、第１の受信アンテナ１６０１が受信した信号に対応する第１の信号と、第２の受信アンテナ１６０３が受信した信号に対応する第２の信号の周期的にシフトされた信号とを重ね合わせた信号である。この（周期的な）シフトすなわち遅延は、送信機の中に組み込まれた周期的遅延ダイバーシチに関連して前に説明したものと同じ方法で動作する手段１６０５によって取り入れられる。
【０１２１】
この時点までに、無相関のチャネル係数が受信機において知られていると仮定されていた。しかしながら、受信機が周波数領域のチャネル応答係数の相関特性に関する何らかの情報を持っていない場合、同じ共分散（すなわち、相関）関数を実行する必要がある。そうするために、本発明の受信機装置は、受信されたマルチキャリア信号の相関関数を実行するための相関器をさらに備えることができる。この相関器は、受信されたマルチキャリア信号の相関関数を決定するように動作する。無相関のチャネル係数はキャリア周波数間の相関特性に直接影響するため、こうした相関器はマルチキャリア信号の相関特性これによりチャネル係数の相関特性を直接決定する。
【０１２２】
実行方法にもよるが、マルチキャリア信号を提供する方法すなわち受信されたマルチキャリア信号から出力信号を提供するための本発明による方法に対する要求事項は、ハードウェア又はソフトウェアの中で実現することができる。この実現は、本発明の方法が実行されるようにプログラム可能なコンピュータシステムと共に動作できるディジタル記憶媒体、特に中に記憶された電気的に読取り可能な制御信号を有するディスク又はＣＤを用いて行うことができる。従って、本発明は一般的に、コンピュータが読取り可能な担体上にプログラムコードが記憶されたコンピュータプログラム製品である。このプログラムコードは、コンピュータプログラム製品がコンピュータ上で実行される場合に本発明による方法を実行する。言い換えると、本発明の方法はこのように、コンピュータ上で実行される場合に本発明の方法を実行するためのプログラムコードを有するコンピュータプログラムである。
【図面の簡単な説明】
【０１２３】
【図１】本発明の第１の実施形態による、送信されるマルチキャリア信号を提供するための創意に富んだ装置のブロック図である。
【図２】図１の創意に富んだプロセッサのブロック図である。
【図３】図１の創意に富んだ割当て部のブロック図である。
【図４】マルチストリーム（multi-stream）差分変調の機能が付いた周期的遅延ダイバーシチを用いる創意に富んだ送信機のブロック図である。
【図５】コード化ＯＦＤＭ（送信機）内の周期的遅延ダイバーシチを例示する図である。
【図６】コード化ＯＦＤＭ（受信機）内の周期的遅延ダイバーシチを例示する図である。
【図７ａ】平坦なフェージングチャネル及び対応するコード化されないエラー率を示す図である。
【図７ｂ】周期的遅延ダイバーシチによって変換された図７ａのチャネル及び対応するコード化されないエラー率を示す図である。
【図８】周波数方向の差分変調を例示する図である。
【図９】チャネルの周波数応答を示す図である。
【図１０】２個の送信アンテナを有する周期的遅延ダイバーシチに対する相関関数を例示する図である。
【図１１】平坦なフェージングチャネルの場合の２個の送信アンテナを用いる周期的遅延ダイバーシチ用の差分コード化方式を例示する図である。
【図１２】周波数選択的チャネルの場合に、２個の送信アンテナを用いる周期的遅延ダイバーシチ用の２個のストリームを有する差分コード化方式を例示する図である。
【図１３】周波数選択的チャネルの場合に、２個の送信アンテナを用いる周期的遅延ダイバーシチ用の相関関数を示す図である。
【図１４】創意に富んだ受信機装置のブロック図である。
【図１５】本発明のさらに別の実施形態による周期的遅延ダイバーシチ用の受信機を示す図である。
【図１６】本発明のさらに別の実施形態による受信機の構造体のブロック図である。
【図１】
2007515812.tif 000015
【図２】
2007515812.tif 000016
【図３】
2007515812.tif 000017
【図４】
2007515812.tif 000018
【図５】
2007515812.tif 000019
【図６】
2007515812.tif 000020
2007515812.tif 000021
【図８】
2007515812.tif 000022
【図９】
2007515812.tif 000023
【図１０】
2007515812.tif 000024
【図１１】
2007515812.tif 000025
【図１２】
2007515812.tif 000026
【図１３】
2007515812.tif 000027
【図１４】
2007515812.tif 000028
【図１５】
2007515812.tif 000029
【図１６】
2007515812.tif 000030
【手続補正書】
【提出日】平成18年9月4日(2006.9.4)
【手続補正１】
【補正対象書類名】特許請求の範囲
【補正対象項目名】全文
【補正方法】変更
【補正の内容】
【特許請求の範囲】
【請求項１】
複数の搬送周波数を介してある送信点からある受信点まで送信されるマルチキャリア信号を提供する装置であって、
入力信号を処理し一連の離散値から成る複数の下位信号を得るプロセッサ（１０１）であって、前記下位信号は全体として前記入力信号と同じ情報を持つものであり、前記下位信号の数は２以上であり、前記入力信号を前記下位信号の数に等しい数の分割信号に分割するデバイダ（２０１）と、差分をとって独立して個別に分割信号を符号化し前記下位信号の下位信号を得る差分コーダ（２０３、４０９）とを具備するプロセッサ（１０１）と、
前記下位信号の前記離散値を一連の搬送周波数に割当て、マルチキャリア信号を得る割当て部（１０３、４１１）と
を具備し、
前記割当て部（１０３、４１１）は、第１の下位信号の一連の離散値を第１の搬送周波数から始めてＳ番目毎の搬送周波数に割当て、第２の下位信号の一連の離散値を第２の搬送周波数から始めてＳ番目毎の搬送周波数に割当てるものであり、ここで前記第１の搬送周波数は前記第２の搬送周波数とは異なるものである、
装置。
【請求項２】
前記デバイダ（２０１）は、
前記入力信号を複数のデマルチプレクス処理信号にデマルチプレクス処理するデマルチプレクサ（４０５）と、
前記デマルチプレクス処理信号の中のあるデマルチプレクス処理信号に対し、前記デマルチプレクス処理信号をインタリーブ処理したものを分割信号として提供するインタリーバ（４０７）と
を具備するものである、請求項１に記載の装置。
【請求項３】
前記プロセッサの入力部に接続した出力部を有するインタリーバ（４０３）をさらに具備する請求項１または２に記載の装置。
【請求項４】
前記一連の搬送周波数は、一連のナンバリング指数の集合の中のナンバリング指数と関連付けられるものであり、
前記第１の搬送周波数は第１のナンバリング指数に関連するものであって、前記第１のナンバリング指数は、前記一連のナンバリング指数の集合の中で最小のナンバリング指数に等しくまたは大きいものであり、
前記第２の搬送周波数は、前記一連のナンバリング指数の集合の中の第２のナンバリング指数に関連するものであり、
前記第２のナンバリング指数は、前記第１のナンバリング指数とは異なるものであり、
前記割当て部（１０３、４１１）は、前記離散値をそれぞれナンバリング指数に割当てることにより、前記第１の下位信号の前記離散値をＳ番目毎の搬送周波数に割当て、前記下位信号の前記離散値をＳ番目毎の搬送周波数に割当てるものである、
請求項１〜３のいずれか一項に記載の装置。
【請求項５】
前記割当て部（１０３、４１１）は、Ｓ個の行と前記搬送周波数をＳで割ることにより決まる数を個数とする複数の列とを有するブロックインタリーバ、またはＳ個の列と前記搬送周波数をＳで割ることにより決まる数を個数とする複数の行とを有するブロックインタリーバである、請求項１〜４のいずれか一項に記載の装置。
【請求項６】
前記マルチキャリア信号または前記マルチキャリア信号から誘導できる信号を時間・周波数変換することにより、前記マルチキャリア信号または前記マルチキャリア信号から誘導できる信号のうち少なくとも一方を変換信号に変換する変換器（４１３、８０８）をさらに具備する請求項１〜５のいずれか一項に記載の装置。
【請求項７】
前記変換信号のコピーを提供する手段（４１５）と、
前記変換信号の前記コピーに遅延を発生させる手段（４２２）と
をさらに具備するものであって、
前記変換信号の前記コピーは、複数の離散値の中で最小のナンバリング指数を有するある離散値から始まる前記離散値を有するものであり、
前記変換信号の前記コピーに遅延を発生させる前記手段（４２２）は、前記ある離散値が前記最小のナンバリング指数よりも大きいナンバリング指数となるように、前記離散値を再度番号付けすることにより前記変換信号の前記コピーをシフトするものである、
請求項６に記載の装置。
【請求項８】
前記マルチキャリア信号のコピーを提供する手段と、
前記マルチキャリア信号の前記コピーを位相シフトし、前記マルチキャリア信号から誘導できる信号を提供する手段と
を具備する手段であって、前記マルチキャリア信号から誘導できる信号を提供する手段をさらに具備する請求項６または７に記載の装置。
【請求項９】
受信したマルチキャリア信号は、マルチキャリア方式の搬送周波数のスペクトル係数を含むものであり、
前記スペクトル係数は、入力信号を処理し一連の離散値から成る複数の下位信号を得ることにより前記入力信号から形成されるものであって、前記下位信号の前記離散値を一連の搬送周波数に割当てマルチキャリア信号を得ることにより形成されるものであり、ここで前記下位信号は全体として前記入力信号と同じ情報を持つものであり、前記下位信号の数は２以上であり、
第１の下位信号の一連の離散値は、第１の搬送周波数から始めてＳ番目毎の搬送周波数に割り当てられるものであり、
第２の下位信号の一連の離散値は、第２の搬送周波数から始めてＳ番目毎の搬送周波数に割り当てられるものであり、
前記第２の搬送周波数は前記第１の搬送周波数とは異なるものであり、
Ｓは前記下位信号の数以上の数を表すものである、
受信したマルチキャリア信号から出力信号を提供する受信機装置であって、
前記スペクトル係数を再度割当てるものであって、受信した前記下位信号を提供する再割当て部（１４０１、１５０７）と、
受信した前記下位信号を再処理し、受信した前記入力信号を前記出力信号として得るリプロセッサ（１４０３）であって、
受信した前記下位信号をそれぞれ復号化し、複数の復号化された受信下位信号を提供する手段であって、差分デコーダ（１５０９）を具備する手段と、
前記復号化された受信下位信号を結合し、受信した前記入力信号を前記出力信号として得る手段と
を具備するリプロセッサ（１４０３）と
を具備する装置。
【請求項１０】
前記スペクトル係数は、ナンバリング指数の集合の中のナンバリング指数に関連するものであり、
前記再割当て部（１４０１、１５０７）は、第１のナンバリング指数を有するスペクトル係数から始めてＳ番目毎のスペクトル係数を選択し、受信した前記下位信号の第１の下位信号を提供するものであって、第２のナンバリング指数を有するスペクトル係数から始めてＳ番目毎のスペクトル係数を選択し、受信した前記下位信号の第２の下位信号を提供するものであり、
前記第１のナンバリング指数は前記第２のナンバリング指数とは異なるものである、
請求項９に記載の装置。
【請求項１１】
再割当て部（１４０１、１５０７）は、Ｓ個の列と、前記マルチキャリア方式の複数の搬送周波数をＳで割ることにより決まる数を個数とする複数の行とを有するブロックインタリーバ、またはＳ個の行と、複数の搬送周波数をＳで割ることにより決まる数を個数とする複数の列とを有するブロックインタリーバである、請求項９または１０に記載の装置。
【請求項１２】
前記リプロセッサは、復号化された受信下位信号をデインタリーブ処理したものを前記復号化された受信下位信号として提供するデインタリーバを具備するものである、請求項９〜１１のいずれか一項に記載の装置。
【請求項１３】
前記結合する手段は、複数の前記復号化された受信下位信号をマルチプレクス処理された受信信号にマルチプレクス処理し前記出力信号とするマルチプレクサ（１５０３）を具備するものである、請求項９〜１２のいずれか一項に記載の装置。
【請求項１４】
前記マルチプレクス処理された受信信号をデインタリーブ処理し、デマルチプレクス処理された信号を前記出力信号として得るデインタリーバ（１５１５）をさらに具備する請求項１３に記載の装置。
【請求項１５】
前記受信したマルチキャリア信号は、受信した信号を前記受信したマルチキャリア信号に変換する変換器によって前記受信した信号から形成されるものであり、
前記変換器（１５０５）は時間・周波数変換を行うものである、
請求項９〜１４のいずれか一項に記載の装置。
【請求項１６】
前記受信した信号は、第１の受信アンテナが受信した信号に対応する第１の信号と、第２の受信アンテナが受信した信号に対応する第２の信号をシフトしたものとを重ね合わせたものであり、ここで前記シフトしたものはシフトしたものを提供するある手段により提供されるものである、請求項１５に記載の装置。
【請求項１７】
前記マルチキャリア信号と同じ情報量を持つ別のマルチキャリア信号を受信する装置であって、
前記再割当て部（１４０１、１５０７）はさらに、受信した前記別のマルチキャリア信号を再度割当て、受信した別の前記下位信号を得るものであり、
前記リプロセッサ（１４０３）は、前記出力信号を提供する際に受信した前記別の複数の下位信号をさらに用いるものである、
請求項９に記載の装置。
【請求項１８】
前記リプロセッサは信号出力の一連の値についてソフトな値を出力するものである、請求項９〜１７のいずれか一項に記載の装置。
【請求項１９】
複数の搬送周波数を介してある送信点からある受信点まで送信されるマルチキャリア信号を提供する方法であって、
入力信号を処理し一連の離散値から成る複数の下位信号を得るステップであって、前記下位信号は全体として前記入力信号と同じ情報を持つものであり、前記下位信号の数は２以上であり、前記入力信号を前記下位信号の数に等しい数の分割信号に分割するステップと、それぞれ独立して分割信号を符号化し前記下位信号の下位信号を得るステップとを含むステップと、
前記下位信号の前記離散値を一連の搬送周波数に割当て、マルチキャリア信号を得るステップと
を含むものであり、
ここで第１の下位信号の一連の離散値は第１の搬送周波数から始めてＳ番目毎の搬送周波数に割当てられ、第２の下位信号の一連の離散値は第２の搬送周波数から始めてＳ番目毎の搬送周波数に割当てられるものであり、
前記第２の搬送周波数は前記第１の搬送周波数とは異なるものであり、
Ｓは前記下位信号の数以上の数を表すものである、
方法。
【請求項２０】
受信したマルチキャリア信号は、マルチキャリア方式の搬送周波数のスペクトル係数を含むものであり、
前記スペクトル係数は、入力信号を処理し一連の離散値から成る複数の下位信号を得ることにより前記入力信号から形成されるものであって、前記下位信号の前記離散値を一連の搬送周波数に割当てマルチキャリア信号を得ることにより形成されるものであり、ここで前記下位信号は全体として前記入力信号と同じ情報を持つものであり、前記下位信号の数は２以上であり、
第１の下位信号の一連の離散値は、第１の搬送周波数から始めてＳ番目毎の搬送周波数に割り当てられるものであり、
第２の下位信号の一連の離散値は、第２の搬送周波数から始めてＳ番目毎の搬送周波数に割り当てられるものであり、
前記第２の搬送周波数は前記第１の搬送周波数とは異なるものである、
受信したマルチキャリア信号から出力信号を提供する方法であって、
前記スペクトル係数を再度割当てるものであって、受信した前記下位信号を提供するステップと、
受信した前記下位信号を再処理し、受信した前記入力信号を前記出力信号として得るステップであって、該再処理が、複数の復号化された受信下位信号を提供するために、受信した前記下位信号をそれぞれ復号化し、受信した前記入力信号を前記出力信号として得るために、前記復号化された受信下位信号を結合することを含むステップと
を含む方法。
【請求項２１】
コンピュータ上で請求項１９または２０に記載の方法を実行するプログラムコードを有するコンピュータプログラム。
【国際調査報告】
2007515812.tif 000031
2007515812.tif 000032
2007515812.tif 000033